(57)【要約】【課題】重量物の先端工具の負担を軽減できる絶縁操作棒用補助具を提供する。【解決手段】補助具１０は、単クランプ１、第１の操作補助アーム３、及び、第２の操作補助アーム５を備える。単クランプ１は、雌ねじ座１ｓを設けた一対のクランプ部材１１・１１を有する。一対のクランプ部材１１・１１は、把持部７３を挟持できる。第１の操作補助アーム３は、雌ねじ座１ｓに螺合できる雄ねじ部３ｍｓを基端部に有し、第１菊座部３ａを先端部に有する。第２の操作補助アーム５は、第２菊座部５ａを先端部に有する。蝶ナット３ｃを用いて、第１菊座部３ａと第２菊座部５ａを固定することで、第１の操作補助アーム３に対して、第２の操作補助アーム５を任意の角度で固定できる。第２の操作補助アーム５を肩などに係止することで、先端工具の重量を分担できる。【選択図】図２
2019161778.tif 000002
【特許請求の範囲】
【請求項１】
先端工具を着脱自在な工具部を先端部に有し、把持部を基端部側に有し、把持部を把持することで、前記先端工具を操作する絶縁操作棒に備わる絶縁操作棒用補助具であって、
回動自在なヒンジ部を一端部側に有し、他端部側を開閉自在に構成した一対の半円弧状のクランプ部材を有し、前記把持部を外周方向から導入して前記把持部を挟持できると共に、前記クランプ部材の外周に雌ねじ座を形成した単クランプと、
前記雌ねじ座に螺合自在な雄ねじ部を基端部に有し、第１連結部を先端部に有し、前記雌ねじ座に前記雄ねじ部が螺合した状態で、前記把持部が延びる方向と直交する方向に延びた状態で配置された第１の操作補助アームと、
前記第１連結部と回動自在に固定できる第２連結部を先端部に有し、第１の操作補助アームが延びる方向と交差する方向に延びた状態で配置された第２の操作補助アームと、を備えている、絶縁操作棒用補助具。
【請求項２】
前記第１連結部は、円板状に形成した第１菊座部を有し、
前記第２連結部は、前記第１菊座部と対向配置され、円板状に形成した第２菊座部を有し、
前記第１菊座部は、
略円形の第１菊座面の中心から放射状に延びると共に、この第１菊座面から隆起した複数の第１突条と、
前記第１菊座面の中心から突出したスタッドボルトと、
前記スタッドボルトに螺合できる蝶ナットと、を有し、
前記第２菊座部は、
略円形の第２菊座面の中心から放射状に延びると共に、この第２菊座面から隆起した複数の第２突条と、
前記第２菊座面の中心部に開口し、前記スタッドボルトを挿入自在な取り付け穴と、を有している、請求項１記載の絶縁操作棒用補助具。
【請求項３】
先端工具を着脱自在な工具部を先端部に有し、把持部を基端部側に有し、把持部を把持することで、前記先端工具を操作する絶縁操作棒に備わる絶縁操作棒用補助具であって、
回動自在なヒンジ部を一端部側に有し、他端部側を開閉自在に構成した一対の半円弧状のクランプ部材を有し、前記把持部を外周方向から導入して前記把持部を挟持できると共に、前記クランプ部材の外周に雌ねじ座を形成した単クランプと、
前記雌ねじ座に螺合自在な雄ねじ部を基端部に有し、第３連結部を先端部に有し、前記雌ねじ座に前記雄ねじ部が螺合した状態で、前記把持部が延びる方向と直交する方向に延びた状態で配置された第３の操作補助アームと、
前記第３連結部と回動自在に固定できる第４連結部を先端部に有し、第３の操作補助アームが延びる方向と交差する方向に延びた状態で配置された第４の操作補助アームと、を備えている、絶縁操作棒用補助具。
【請求項４】
前記第３連結部は、
二山クレビス形の第１支持部と、
雄ねじ部を一端部側に形成した蝶ボルトと、を有し、
前記第４連結部は、前記第１支持部に嵌合する一山クレビス形の第２支持部を有し、
前記第１支持部は、
前記蝶ボルトの雄ねじ部が挿通自在な第１挿通穴を開口した第１クレビス片と、
前記蝶ボルトの雄ねじ部が螺合自在なねじ穴を螺設した第２クレビス片と、を有し、
前記第２支持部は、前記蝶ボルトの雄ねじ部が挿通自在な第２挿通穴を開口している、請求項３記載の絶縁操作棒用補助具。
【発明の詳細な説明】
【技術分野】
【０００１】
本発明は、絶縁操作棒用補助具に関する。特に、用途の異なる先端工具を共用できる共用操作棒などの絶縁操作棒の把持部に着脱自在に接続できる絶縁操作棒用補助具であって、作業者の負担を軽減でき、安心かつ安定した間接活線作業ができる絶縁操作棒用補助具の構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行なっている。一方、間接活線工法は、作業者が絶縁操作棒（ホットスティック）などを用いて、通電中の高圧配電線に直接触れることなく配電工事を行なうことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、用途に対応して、先端工具を交換できるように構成している。
【０００４】
このような間接活線工事用の絶縁操作棒は、様々な種類のものが開発されているが、用途の異なる先端工具を共用できる、いわゆる共用操作棒は、先行技術文献に開示されている（例えば、特許文献１参照）。
【０００５】
図５は、一例による絶縁操作棒の構成を示す正面図である。図６は、図５の先端部側及び基端部側を拡大した斜視図である。図７は、絶縁操作棒の先端部に着脱自在な先端工具の一例による構成を示す正面図である。なお、本願の図５は、特許文献１の図６に相当している。
【０００６】
図５を参照すると、一例による絶縁操作棒（以下、共用操作棒という）７は、工具部７１、柄部７２、及び把持部７３を備えている。工具部７１には、後述するバインド打ち器８などの先端工具を着脱自在となっている（図７参照）。把持部７３は、作業員が把持し易いように滑り止めを施こしている。柄部７２は、工具部７１と把持部７３とを連結し、絶縁性を有する長尺の管体からなっている。
【０００７】
図５を参照すると、柄部７２は、円錐体状の水切り鍔７ａを中間部に取り付けている。水切り鍔７ａは、工具部７１から進出する水を堰き止めることができる。又、柄部７２と把持部７３との接続部には、円錐体状の限界鍔７ｂを取り付けている。限界鍔７ｂの取り付け位置は、絶縁性を考慮して、共用操作棒７を安全に作業できる限界を示している。
【０００８】
図５又は図６を参照すると、工具部７１は、円柱状の軸部７１ａと一対のピン７１ｂ・７１ｂを備えている。又、工具部７１は、プッシュロッド７１ｃとリングナット７１ｄを有している。軸部７１ａは、柄部７２の軸方向に突出している。一対のピン７１ｂ・７１ｂは、相反する向きに軸部７１ａの外周から突出している。
【０００９】
図６を参照すると、プッシュロッド７１ｃは、工具部７１に内蔵された圧縮コイルばね（図示せず）によって、力を付勢され、軸部７１ａの先端面から突出している。
【００１０】
図６を参照すると、リングナット７１ｄは、軸部７１ａの下方に配置されている。リングナット７１ｄは、軸部７１ａと螺合している。リングナット７１ｄを一方の方向に回転すると、後述するバインド打ち器８のジョイント部８１の底面に当接して（図７参照）、バインド打ち器８を固定できる。リングナット７１ｄを他方の方向に回転すると、後述するバインド打ち器８のジョイント部８１の底面（図７参照）からリングナット７１ｄが離れて、バインド打ち器８を解除できる。
【００１１】
図５又は図６を参照すると、共用操作棒７は、円筒状のジョイント部７４を基端部に更に備えている。ジョイント部７４は、底面が開口された円筒状に形成している。ジョイント部７４には、図示しない足し棒の軸部が嵌合する軸穴７４ａを有している。
【００１２】
又、図５又は図６を参照すると、ジョイント部７４には、一対のＴ字状の係合溝７４ｂ・７４ｂを有している。図示しない足し棒に設けた一対のピンを軸穴７４ａの軸方向に挿入した後に、これらのピンを軸穴７４ａの周方向に回動することで、これらのピンを係合溝７４ｂ・７４ｂに係合できる。つまり、図５に示した共用操作棒７には、図示しない足し棒を継ぎ足しできる。
【００１３】
上述したような係合手段は、ツイストロックと呼ばれている。そして、図５又は図６を参照して、図示しない足し棒とジョイント部７４が嵌合した状態では、プッシュロッドが軸穴７４ａの上壁を弾圧すると共に、リングナットが軸穴７４ａの底面に当接して、ジョイント部７４に図示しない足し棒を確実に固定できる。
【００１４】
例えば、図５又は図６を参照して、共用操作棒７の工具部７１には、フック形状のバインド打ち器８などの先端工具を取り付けることができる（図７参照）。
【００１５】
図７を参照すると、バインド打ち器８は、共用操作棒７の工具部７１に着脱自在に取り付けできる（図５又は図６参照）。バインド打ち器８は、円筒状のジョイント部８１を基端部に備えている。
【００１６】
図７を参照すると、ジョイント部８１は、底面が開口された円筒状に形成している。ジョイント部８１には、軸部７１ａ（図６参照）が嵌合する軸穴８１ａを有している。又、ジョイント部８１には、一対のＴ字状の係合溝８１ｂ・８１ｂを有している。一対のピン７１ｂ・７１ｂ（図６参照）を軸穴８１ａの軸方向に挿入した後に、これらのピン７１ｂ・７１ｂを軸穴８１ａの周方向に回動することで、これらのピン７１ｂ・７１ｂを係合溝８１ｂ・８１ｂに係合できる。
【００１７】
図５から図７を参照して、工具部７１とジョイント部８１が嵌合した状態では、プッシュロッド７１ｃが軸穴８１ａの上壁を弾圧すると共に、リングナット７１ｄが軸穴８１ａの底面に当接して、バインド打ち器８を工具部７１に確実に固定できる。
【００１８】
図７を参照すると、バインド打ち器８は、棒状の軸部８ｓとフック部８ａを備えている。フック部８ａは、軸部８ｓから連続して、Ｃ字状に屈曲している。又、バインド打ち器８は、円柱状のピン部８ｐを備えている。ピン部８ｐは、フック部８ａの開口８ｋと反対側に、軸部８ｓから突出している。なお、バインド打ち器の名称は、高圧配電線を碍子に支持するバインド線を操作できることに由来している。
【００１９】
図５又は図６に示した共用操作棒７は、間接活線工事に好適な絶縁操作棒の一種であるが、異なる用途の先端工具を接続自在に共用できることから、特に、「共用操作棒」と呼ばれている。
【００２０】
図５又は図６を参照して、共用操作棒７の先端部には、圧縮工具などの重量物の先端工具を取り付けることがある。共用操作棒７は、把持部７３を両手で把持して、先端工具を操作しているが、先端工具が重量物の場合は、先端工具を操作することが容易でないという問題がある。又、先端工具が重量物の場合は、作業者の肉体的及び精神的負担が増加し、作業者の疲労を増加させる要因となっている。
【００２１】
以上のことから、腕を挿通自在な腕輪を取り付けた腕支持部材を共用操作棒の把持部に着脱自在に取り付けることで、作業者の腕への安定した支持性能を確保しつつ、作業者の作業範囲を拡大できる、絶縁操作棒用補助具が開示されている（例えば、特許文献２参照）。
【先行技術文献】
【特許文献】
【００２２】
【特許文献１】特開２０１１−２４４５５２号公報
【特許文献２】特開２０１１−１２５１８７号公報
【発明の概要】
【発明が解決しようとする課題】
【００２３】
しかしながら、特許文献２による絶縁操作棒用補助具は、絶縁操作棒の把持部に腕支持部材を取り付けているが、腕を支持することに限定され、間接活線作業の自由度を確保することが困難である、という問題がある。
【００２４】
重量物の先端工具を先端部に取り付け可能な絶縁操作棒の把持部に着脱自在な補助具であって、腕を支持することに限定されることなく、重量物の先端工具の負担を軽減できる、絶縁操作棒用補助具が求められている。そして、以上のことが本発明の課題といってよい。
【００２５】
本発明は、このような課題に鑑みてなされたものであり、重量物の先端工具を先端部に取り付け可能な絶縁操作棒の把持部に着脱自在な補助具であって、腕を支持することに限定されることなく、重量物の先端工具の負担を軽減できる、絶縁操作棒用補助具を提供することを目的とする。
【課題を解決するための手段】
【００２６】
本発明者は、外周の中央部に雌ねじ座を設け、絶縁操作棒の把持部に外周方向から着脱自在な単クランプ、基端部が雌ねじ座に螺合でき、把持部が延びる方向と直交する方向に延びる第１の操作補助アーム、及び、先端部が第１の補助棒の先端部に設けた連結部と回動自在に連結した第２の操作補助アームで、絶縁操作棒用補助具を構成することで、腕を支持することに限定されることなく、重量物の先端工具の負担を軽減できると考え、これに基づいて、以下のような新たな絶縁操作棒用補助具を発明するに至った。
【００２７】
（１）本発明による絶縁操作棒用補助具は、先端工具を着脱自在な工具部を先端部に有し、把持部を基端部側に有し、把持部を把持することで、前記先端工具を操作する絶縁操作棒に備わる絶縁操作棒用補助具であって、回動自在なヒンジ部を一端部側に有し、他端部側を開閉自在に構成した一対の半円弧状のクランプ部材を有し、前記把持部を外周方向から導入して前記把持部を挟持できると共に、前記クランプ部材の外周に雌ねじ座を形成した単クランプと、前記雌ねじ座に螺合自在な雄ねじ部を基端部に有し、第１連結部を先端部に有し、前記雌ねじ座に前記雄ねじ部が螺合した状態で、前記把持部が延びる方向と直交する方向に延びた状態で配置された第１の操作補助アームと、前記第１連結部と回動自在に固定できる第２連結部を先端部に有し、第１の操作補助アームが延びる方向と交差する方向に延びた状態で配置された第２の操作補助アームと、を備えている。
【００２８】
（２）前記第１連結部は、円板状に形成した第１菊座部を有し、前記第２連結部は、前記第１菊座部と対向配置され、円板状に形成した第２菊座部を有し、前記第１菊座部は、略円形の第１菊座面の中心から放射状に延びると共に、この第１菊座面から隆起した複数の第１突条と、前記第１菊座面の中心から突出したスタッドボルトと、前記スタッドボルトに螺合できる蝶ナットと、を有し、前記第２菊座部は、略円形の第２菊座面の中心から放射状に延びると共に、この第２菊座面から隆起した複数の第２突条と、前記第２菊座面の中心部に開口し、前記スタッドボルトを挿入自在な取り付け穴と、を有していることが好ましい。
【００２９】
（３）本発明による絶縁操作棒用補助具は、先端工具を着脱自在な工具部を先端部に有し、把持部を基端部側に有し、把持部を把持することで、前記先端工具を操作する絶縁操作棒に備わる絶縁操作棒用補助具であって、回動自在なヒンジ部を一端部側に有し、他端部側を開閉自在に構成した一対の半円弧状のクランプ部材を有し、前記把持部を外周方向から導入して前記把持部を挟持できると共に、前記クランプ部材の外周に雌ねじ座を形成した単クランプと、前記雌ねじ座に螺合自在な雄ねじ部を基端部に有し、第３連結部を先端部に有し、前記雌ねじ座に前記雄ねじ部が螺合した状態で、前記把持部が延びる方向と直交する方向に延びた状態で配置された第３の操作補助アームと、前記第３連結部と回動自在に固定できる第４連結部を先端部に有し、第３の操作補助アームが延びる方向と交差する方向に延びた状態で配置された第４の操作補助アームと、を備えている。
【００３０】
（４）前記第３連結部は、二山クレビス形の第１支持部と、雄ねじ部を一端部側に形成した蝶ボルトと、を有し、前記第４連結部は、前記第１支持部に嵌合する一山クレビス形の第２支持部を有し、前記第１支持部は、前記蝶ボルトの雄ねじ部が挿通自在な第１挿通穴を開口した第１クレビス片と、前記蝶ボルトの雄ねじ部が螺合自在なねじ穴を螺設した第２クレビス片と、を有し、前記第２支持部は、前記蝶ボルトの雄ねじ部が挿通自在な第２挿通穴を開口していることが好ましい。
【発明の効果】
【００３１】
本発明による絶縁操作棒用補助具は、外周の中央部に雌ねじ座を設け、絶縁操作棒の把持部に外周方向から着脱自在な単クランプ、基端部が雌ねじ座に螺合でき、把持部が延びる方向と直交する方向に延びる第１の操作補助アーム、及び、先端部が第１の補助棒の先端部に設けた連結部と回動自在に連結した第２の操作補助アームで、絶縁操作棒用補助具を構成することで、腕を支持することに限定されることなく、重量物の先端工具を多方向から支持でき、支え方の自由度を確保できる。
【図面の簡単な説明】
【００３２】
【図１】本発明の第１実施形態による絶縁操作棒用補助具の構成を示す正面図である。
【図２】第１実施形態による絶縁操作棒用補助具の構成を示す斜視分解組立図である。
【図３】本発明の第２実施形態による絶縁操作棒用補助具の構成を示す正面図である。
【図４】第２実施形態による絶縁操作棒用補助具の構成を示す斜視分解組立図である。
【図５】一例による絶縁操作棒の構成を示す正面図である。
【図６】図５の先端部側及び基端部側を拡大した斜視図である。
【図７】絶縁操作棒の先端部に着脱自在な先端工具の一例による構成を示す正面図である。
【発明を実施するための形態】
【００３３】
以下、図面を参照して本発明を実施するための形態を説明する。
［第１実施形態］
［絶縁操作棒用補助具の構成］
最初に、本発明の第１実施形態による絶縁操作棒用補助具の構成を説明する。
【００３４】
なお、本発明による補助具に適用される絶縁操作棒を共用操作棒として説明するが、絶縁操作棒は、共用操作棒に限定されることなく、先端部に一対の把持腕を有する絶縁操作棒、いわゆる、絶縁ヤットコなどにも適用できる。
【００３５】
図１は、本発明の第１実施形態による絶縁操作棒用補助具の構成を示す正面図である。図２は、第１実施形態による絶縁操作棒用補助具の構成を示す斜視分解組立図である。
【００３６】
なお、図５から図７で使用した符号と同じ符号を有する構成品は、その作用を同じとするので、以下説明を省略することがある。
【００３７】
（全体構成）
次に、本発明の第１実施形態による絶縁操作棒用補助具の全体構成を説明する。図１又は図２を参照すると、本発明の第１実施形態による絶縁操作棒用補助具（以下、補助具と略称する）１０は、単クランプ１、棒状の第１の操作補助アーム３、及び、棒状の第２の操作補助アーム５を備えている。
【００３８】
図１又は図２を参照すると、単クランプ１は、一対の半円弧状のクランプ部材１１・１１を有している。これらのクランプ部材１１・１１は、互いに回動自在なヒンジ部１ｈを一端部側に有している（図２参照）。又、これらのクランプ部材１１・１１は、互いに開閉自在な延出部１ｃを他端部側に有している。これらの延出部１ｃ・１ｃを開くことで、一対のクランプ部材１１・１１の内部に把持部７３を外周方向から導入できる。又、一組のボルト部材１ｂ・１ｂを用いて、一対のクランプ部材１１・１１を閉じることで、把持部７３を挟持できる。単クランプ１は、把持部７３の軸方向の任意の位置に取り付けることができる。
【００３９】
図１又は図２を参照すると、クランプ部材１１は、その外周の中央部に雌ねじ座１ｓを形成している。雌ねじ座１ｓには、雌ねじ部１ｆｓを形成している。一方、第１の操作補助アーム３は、雄ねじ部３ｍｓを基端部に形成している。雄ねじ部３ｍｓは、雌ねじ部１ｆｓに螺合できる。雌ねじ部１ｆｓに雄ねじ部３ｍｓが螺合した状態では、第１の操作補助アーム３は、把持部７３が延びる方向と直交する方向に延びた状態で配置されている。図１を参照すると、一方の雌ねじ座１ｓに第１の操作補助アーム３を固定しているが、他方の雌ねじ座１ｓに第１の操作補助アーム３を固定することもできる。
【００４０】
図２を参照すると、第１の操作補助アーム３は、雄ねじ部３ｍｓを基端部に形成している。雄ねじ部３ｍｓは、雌ねじ座１ｓの雌ねじ部１ｆｓに螺合できる。図１を参照して、雌ねじ座１ｓに雄ねじ部３ｍｓが螺合した状態では、第１の操作補助アーム３は、把持部７３が延びる方向と直交する方向に延びた状態で配置されている。又、図２を参照して、第１の操作補助アーム３は、第１連結部となる第１菊座部３ａを先端部に有している。
【００４１】
図２を参照すると、第２の操作補助アーム５は、第２連結部となる第２菊座部５ａを先端部に有している。第２菊座部５ａは、第１菊座部３ａと回動自在に固定できる。第１菊座部３ａに対して、第２菊座部５ａが固定された状態では、第２の操作補助アーム５は、第１の操作補助アーム３が延びる方向と交差する方向に延びた状態で配置されている（図１参照）。
【００４２】
図１又は図２を参照すると、第１実施形態による補助具１０は、一方の手で把持部７３を把持して、一方の手の肘で第１の操作補助アーム３を支持することもできる。又、第１実施形態による補助具１０は、両手で把持部７３を把持して、第２の操作補助アーム５を肩などに係止することで、図示しない先端工具の重量を分担することもできる。更に、２の操作補助アーム５をステップボルト（図示せず）などに係止することで、図示しない先端工具の重量を分担することもできる。
【００４３】
（第１の操作補助アームの構成）
次に、実施形態による第１の操作補助アーム３の構成を説明する。図２を参照すると、第１の操作補助アーム３は、円板状に形成した第１菊座部３ａを先端部に有している。第１菊座部３ａは、略円形の第１菊座面の中心から放射状に延びると共に、この第１菊座面から隆起した複数の第１突条３１ｓを有している。
【００４４】
又、図２を参照すると、第１菊座部３ａは、スタッドボルト３ｂと蝶ナット３ｃを備えている。スタッドボルト３ｂは、当該菊座面の中心から突出している。蝶ナット３ｃは、スタッドボルト８ｂに螺合できる雌ねじ部３ｆｓを中心部に螺設している。
【００４５】
（第２の操作補助アームの構成）
次に、実施形態による第２の操作補助アーム５の構成を説明する。図２を参照すると、第２の操作補助アーム５は、円板状に形成した第２菊座部５ａを先端部に有している。第２菊座部５ａは、略円形の第２菊座面の中心から放射状に延びると共に、この第２菊座面から隆起した複数の第２突条４１ｓを有している。
【００４６】
又、図２を参照すると、第２菊座部５ａは、当該第２菊座面の中心に取り付け穴５１ｈを開口している。第１菊座部３ａの第１菊座面と第２菊座部５ａの菊座面が対面するように、スタッドボルト３ｂを取り付け穴５１ｈに挿入し、蝶ナット３ｃを締結すると、第１の操作補助アーム３に対して、第２の操作補助アーム５を任意のステップ角度で固定できる。
【００４７】
［絶縁操作棒用補助具の作用］
次に、第１実施形態による補助具１０の作用及び効果を説明する。
【００４８】
図１又は図２を参照すると、第１実施形態による補助具１０は、一方の手で把持部７３を把持して、一方の手の肘で第１の操作補助アーム３を支持することもできる。又、第１実施形態による補助具１０は、両手で把持部７３を把持して、第２の操作補助アーム５を肩などに係止することで、図示しない先端工具の重量を分担することもできる。更に、第２の操作補助アーム５をステップボルト（図示せず）などに係止することで、図示しない先端工具の重量を分担することもできる。
【００４９】
［第２実施形態］
［絶縁操作棒用補助具の構成］
次に、本発明の第２実施形態による絶縁操作棒用補助具の構成を説明する。
【００５０】
図３は、本発明の第２実施形態による絶縁操作棒用補助具の構成を示す正面図である。図４は、第２実施形態による絶縁操作棒用補助具の構成を示す斜視分解組立図である。
【００５１】
なお、図１又は図２」で使用した符号と同じ符号を有する構成品は、その作用を同じとするので、以下説明を省略することがある。
【００５２】
（全体構成）
次に、本発明の第２実施形態による絶縁操作棒用補助具の全体構成を説明する。図３又は図４を参照すると、本発明の第２実施形態による絶縁操作棒用補助具（以下、補助具と略称する）２０は、単クランプ１、棒状の第３の操作補助アーム２、及び、棒状の第４の操作補助アーム４を備えている。
【００５３】
図３又は図４を参照すると、クランプ部材１１は、その外周の中央部に雌ねじ座１ｓを形成している。雌ねじ座１ｓには、雌ねじ部１ｆｓを形成している。一方、第３の操作補助アーム２は、雄ねじ部２ｍｓを基端部に形成している。雄ねじ部２ｍｓは、雌ねじ部１ｆｓに螺合できる。雌ねじ部１ｆｓに雄ねじ部２ｍｓが螺合した状態では、第３の操作補助アーム２は、把持部７３が延びる方向と直交する方向に延びた状態で配置されている。図３を参照すると、一方の雌ねじ座１ｓに第３の操作補助アーム２を固定しているが、他方の雌ねじ座１ｓに第３の操作補助アーム２を固定することもできる。
【００５４】
図４を参照すると、第３の操作補助アーム２は、雄ねじ部２ｍｓを基端部に形成している。雄ねじ部２ｍｓは、雌ねじ座１ｓの雌ねじ部１ｆｓに螺合できる。図３を参照して、雌ねじ座１ｓに雄ねじ部２ｍｓが螺合した状態では、第３の操作補助アーム２は、把持部７３が延びる方向と直交する方向に延びた状態で配置されている。又、図４を参照して、第３の操作補助アーム２は、第３連結部となる二山クレビス形の第１支持部２１を先端部に有している。
【００５５】
図４を参照すると、第４の操作補助アーム４は、第４連結部となる一山クレビス形の第２支持部４１を先端部に有している。第２支持部４１は、第１支持部２１と回動自在に固定できる。第１支持部２１に対して、第２支持部４１が固定された状態では、第４の操作補助アーム４は、第３の操作補助アーム２が延びる方向と交差する方向に延びた状態で配置されている（図３参照）。
【００５６】
図１又は図２を参照すると、第２実施形態による補助具２０は、一方の手で把持部７３を把持して、一方の手の肘で第３の操作補助アーム２を支持することもできる。又、第２実施形態による補助具２０は、両手で把持部７３を把持して、第４の操作補助アーム４を肩などに係止することで、図示しない先端工具の重量を分担することもできる。更に、第４の操作補助アーム４をステップボルト（図示せず）などに係止することで、図示しない先端工具の重量を分担することもできる。
【００５７】
（第３の操作補助アームの構成）
次に、実施形態による第３の操作補助アーム２の構成を説明する。図４を参照すると、第３の操作補助アーム２は、二山クレビス形の第１支持部２１を先端部に有している。又、第３の操作補助アーム２は、雄ねじ部２ｍｓを一端部側に形成した蝶ボルト２ｂを有している。
【００５８】
図４を参照すると、第１支持部２１は、第１クレビス片２１１と第２クレビス片２１２を有している。第１クレビス片２１１は、第１挿通穴２１ｈを中央部に開口している。第１挿通穴２１ｈには、蝶ボルト２ｂの雄ねじ部２ｍｓを挿通できる。第２クレビス片２１２は、ねじ穴２１ｓを中央部に螺設している。ねじ穴２１ｓには、蝶ボルト２ｂの雄ねじ部２ｍｓを螺合できる。
【００５９】
（第４の操作補助アームの構成）
次に、実施形態による第４の操作補助アーム４の構成を説明する。図４を参照すると、第２支持部４１は、第２挿通穴４１ｈを中央部に開口している。第２挿通穴４１ｈには、蝶ボルト２ｂの雄ねじ部２ｍｓを挿通できる。
【００６０】
図４を参照して、第１クレビス片２１１と第２クレビス片２１２の間に、第２支持部４１を導入し、第１挿通穴２１ｈと第２挿通穴４１ｈを一致させた状態で、第１挿通穴２１ｈと第２挿通穴４１ｈに、蝶ボルト２ｂの雄ねじ部２ｍｓを挿通し、雄ねじ部２ｍｓをねじ穴２１ｓに締結することで、第３の操作補助アーム２に対して、第４の操作補助アーム４を任意の角度で固定できる。
【００６１】
［絶縁操作棒用補助具の作用］
次に、第２実施形態による補助具２０の作用及び効果を説明する。
【００６２】
図３又は図４を参照すると、第２実施形態による補助具２０は、一方の手で把持部７３を把持して、一方の手の肘で第３の操作補助アーム２を支持することもできる。又、第２実施形態による補助具２０は、両手で把持部７３を把持して、第４の操作補助アーム４を肩などに係止することで、図示しない先端工具の重量を分担することもできる。更に、第４の操作補助アーム４をステップボルト（図示せず）などに係止することで、図示しない先端工具の重量を分担することもできる。
【００６３】
図１及び図２と図３及び図４を対比すると、第１実施形態による補助具１０は、第１の操作補助アーム３に対して、第２の操作補助アーム５を任意のステップ角度で固定できるのに対し、第２実施形態による補助具２０は、第３の操作補助アーム２に対して、第４の操作補助アーム４を連続した任意の角度で固定できるという、違いがある。
【００６４】
本発明による絶縁操作棒用補助具は、次のような効果が期待できる。
（１）重量物の先端工具を多方向から支持でき、支え方の自由度を確保できる。
（２）圧縮ヘッドなど先端部に重量がある作業において、作業者の疲労低減を見込むことができる。
【符号の説明】
【００６５】
１  単クランプ
１ｈ  ヒンジ部
１ｓ  雌ねじ座
３  第１の操作補助アーム
３ａ  第１菊座部（第１連結部）
５  第２の操作補助アーム
５ａ  第２菊座部（第２連結部）
７  共用操作棒（絶縁操作棒）
１０  補助具（絶縁操作棒用補助具）
１１・１１  一対のクランプ部材
７１  工具部
７３  把持部
【図１】
2019161778.tif 000003
【図２】
2019161778.tif 000004
【図３】
2019161778.tif 000005
【図４】
2019161778.tif 000006
【図５】
2019161778.tif 000007
【図６】
2019161778.tif 000008
【図７】
2019161778.tif 000009